(57)【特許請求の範囲】
【請求項１】
空気吸い込み口と、空気通路に臨ませて並設し、前記空気吸い込み口より吸引された空気を濾過し、かつ浸漬により毛細管現象で水を吸い上げ濡れて水分の一部が蒸発する２個の濾過蒸発部と、水槽と、送風機と、空気吹き出し口とからなり、前記水槽内の水中に一対の電極を設け、前記電極間に水中のイオン性物質が自由に通過する隔膜を設け、前記電極の一方は直流電源のプラス側に接続して陽極とし、前記電極の他方には前記直流電源のマイナス側を接続して陰極とし、前記水槽内の前記隔膜を隔てて一方の前記濾過蒸発部の下部が前記陽極側の水中に浸漬する位置とし、他方の前記濾過蒸発部が前記陰極側の水中に浸漬する位置とした構成の加湿機能付空気清浄機。
【請求項２】
室内のガス濃度を検出するガスセンサ、粒子濃度を検出する粒子センサ、湿度を検出する湿度センサのうち少なくとも一つを備え、センサの出力に応じて送風機出力を制御する手段を有する請求項１記載の加湿機能付空気清浄機。
【請求項３】
水槽内に水位を検出する水位センサと、水位センサの出力により送風機と直流電源との運転を停止させる停止制御手段と、水槽内水位が低水位の場合に表示する水量不足表示手段とを有する請求項１または２記載の加湿機能付空気清浄機。
【請求項４】
送風機停止時に水槽内の陽極と陰極とへの直流電圧の印加を間欠に行うタイマー手段を有する請求項１ないし３のいずれか１項記載の加湿機能付空気清浄機。
【請求項５】
水槽内の陽極と陰極とへ直流電圧を印加する電気回路の電流値検知手段を設け、前記電流値検知手段により直流電源の動作を制御する電気分解制御手段を有する請求項１ないし３のいずれか１項記載の加湿機能付空気清浄機。
【請求項６】
水槽の水位の高低により電気分解制御手段の条件値を変更する請求項１ないし３のいずれか１項記載の加湿機能付空気清浄機。
【請求項７】
水槽内の陽極と陰極との極性を切り換える直流電源の切り換え手段と、前記切り換え手段を間欠動作させる第２のタイマー手段を有する請求項１ないし６のいずれか１項記載の加湿機能付空気清浄機。
【発明の詳細な説明】
【０００１】
【発明の属する技術分野】
本発明は空気中の臭気や浮遊粉塵を除去すると共に、特に加湿機能を付加した空気清浄機に関するものである。
【０００２】
【従来の技術】
従来の空気清浄機は塵埃を帯電させて集塵板に捕集するものや、繊維状のフィルターに捕集するもの、また活性炭などを用いて空気中の臭気成分を除去するものがあるが、加湿機能付空気清浄機としては特開平４−４８９４６号公報に記載されているようなものが一般的であった。この加湿機能付空気清浄機は図１７と図１８に示すように加湿機能付空気清浄機１が空気清浄装置２と加湿器３との一体構成を成し、電気集塵手段４のイオナイザ部５の放電電極６と対向電極板７との間に直流高電圧を印加することにより放電電極６から放電電極７に向かってコロナ放電が起こり、ダストなどの微粒子が荷電され、後流側のコレクタ部８の電極板９に捕集される。また、タンク１０から水槽１１に供給された水は超音波発振子１２により振動され、霧状の微粒子として水面から飛散し、加湿用水殺菌手段１３の送風機１４によって送り込まれたオゾンを含んだ清浄空気によって室内空気中に放出され、室内空気を加湿する。そして、タンク１０内で繁殖したバクテリアはタンク１０より水槽１１に入ってくるが、加湿用水殺菌手段１３の送風機１４によって送り込まれた清浄空気中のオゾンによって殺菌されるため、活性化した菌を室内空気中に放出することがないようになっていた。
【０００３】
【発明が解決しようとする課題】
しかしながら上記従来の構成ではコレクタ部８の交換や清掃が必要であり、そのメンテナンスが煩雑であること、そして集塵効果は有るが脱臭効果はほとんど無いという課題があった。またタンク１０内のバクテリアの繁殖は防ぐことができない為、衛生的に満足できるものではなかった。
【０００４】
一方脱臭効果を有する活性炭を搭載した空気清浄機もすべての悪臭成分には十分機能しないため、酸性ガスやアルカリ性ガスに対応した添着活性炭を混合させるなどの方法が採られているが、いずれにせよ吸着容量が飽和すると交換しなければならず、メンテナンスの煩雑さとコストが高いという課題があった。
【０００５】
【課題を解決するための手段】
本発明は上記目的を達成するため、空気吸い込み口と、空気通路に臨ませて並設し、前記空気吸い込み口より吸引された空気を濾過し、かつ浸漬により毛細管現象で水を吸い上げ濡れて水分の一部が蒸発する２個の濾過蒸発部と、水槽と、送風機と、空気吹き出し口とからなり、前記水槽内の水中に一対の電極を設け、前記電極間に水中のイオン性物質が自由に通過する隔膜を設け、前記電極の一方は直流電源のプラス側に接続して陽極とし、前記電極の他方には前記直流電源のマイナス側を接続して陰極とし、前記水槽内の前記隔膜を隔てて一方の前記濾過蒸発部の下部が前記陽極側の水中に浸漬する位置とし、他方の前記濾過蒸発部が前記陰極側の水中に浸漬する位置とした構成にするとともに、前記水槽内に水位センサと、水位センサの出力による前記送風機と前記直流電源との運転の発停制御手段と水量不足表示手段とを設け、さらに前記送風機停止時にも前記水槽内の両電極への直流電圧の印加を間欠に行うタイマー手段を設けた構成としている。
【０００６】
上記発明によれば、濾過蒸発部の下部が水槽内に浸漬しているので、毛細管現象で濾過蒸発部が水槽内の水を吸い上げて濡れ、濾過蒸発部が空気通路に臨ませているので湿式フィルターとなり、通過する空気中の塵埃を捕捉し、悪臭成分も水の中に溶解吸収し空気を浄化するとともに、濾過蒸発部からは水分の一部が蒸発し空気を加湿する。そして水槽内の水は電気分解され、隔膜を挟んで酸性水とアルカリ性水が生成され、一方の濾過蒸発部は酸性水を含み、他方の濾過蒸発部はアルカリ性水を含むことになり、酸性ガスはアルカリ性水に吸収されやすく、アルカリ性ガスは酸性水に吸収されやすいため、各種の悪臭成分を除去する性能が向上する。また、水槽内には水位センサが設けられ、水量が不足すると送風機と直流電源との停止と報知が可能なので、水の交換補充の時期が的確に行える。さらに送風機の停止時も水槽内の水の電気分解を間欠的に行うことができ、水槽内の水は酸性とアルカリ性に保持できるため水槽内でのバクテリアの繁殖を防ぐことができる。
【０００７】
【発明の実施の形態】
本発明は空気吸い込み口と、空気通路に臨ませて並設し、前記空気吸い込み口より吸引された空気を濾過し、かつ浸漬により毛細管現象で水を吸い上げ濡れて水分の一部が蒸発する２個の濾過蒸発部と、水槽と、送風機と、空気吹き出し口とからなり、水槽内の水中に一対の電極を設け、電極間に水中のイオン性物質が自由に通過する隔膜を設け、電極の一方は直流電源のプラス側に接続して陽極とし、電極の他方には直流電源のマイナス側を接続して陰極とし、水槽内の隔膜を隔てて一方の濾過蒸発部の下部が陽極側の水中に浸漬する位置とし、他方の濾過蒸発部が陰極側の水中に浸漬する位置とした構成を有するものである。
【０００８】
そして、濾過蒸発部の下部が水槽内に浸漬しているので、毛細管現象で濾過蒸発部が水槽内の水を吸い上げて濡れ、濾過蒸発部が空気通路に臨ませているので湿式フィルターとなり、通過する空気中の塵埃を捕捉し、悪臭成分も水の中に溶解吸収し空気を浄化するが、水槽内の水は電気分解され、隔膜を挟んで酸性水とアルカリ性水が生成され、一方の濾過蒸発部は酸性水を含み、他方の濾過蒸発部はアルカリ性水を含むことになり、酸性ガスはアルカリ性水に吸収されやすく、アルカリ性ガスは酸性水に吸収されやすいため、各種の悪臭成分を除去する性能が向上するとともに、濾過蒸発部からは水分の一部が蒸発し空気を加湿することができる。
【０００９】
また、室内のガス濃度を検出するガスセンサ、粒子濃度を検出する粒子センサ、湿度を検出する湿度センサのうち少なくとも一つを備え、センサの出力に応じて送風機出力を制御する手段を有するものである。
【００１０】
そして、室内の臭気成分はガスセンサにてガス濃度を検出し、室内の塵埃は粒子センサにて粒子濃度を検出し、室内の空気湿度は湿度センサにて湿度を検出し、各センサの出力に応じて送風機出力を制御するので、臭気や塵埃が高濃度の場合と湿度が低い場合には送風機出力を大きくして、通過空気量を多くして室内の空気浄化を早めることや、加湿量を増加して室内乾燥状態の改善ができ、逆に臭気や塵埃が低濃度の場合や湿度が高い場合には送風機出力を小さくして、水の蒸発損失と消費電力の節約がはかれる。
【００１１】
さらに、水槽内に水位を検出する水位センサと、水位センサの出力により送風機と直流電源との運転を停止させる停止制御手段と、水槽内水位が低水位の場合に表示する水量不足表示手段とを有するものである。
【００１２】
そして、水量が不足すると送風機と直流電源との停止と報知が可能なので、空運転の防止と水の交換補充の時期が的確に行える。
【００１３】
さらに、送風機停止時に水槽内の陽極と陰極とへの直流電圧の印加を間欠に行うタイマー手段を有するものである。
【００１４】
そして、送風機の停止時も水槽内の水の電気分解を間欠的に行うことができ、水槽内の水は酸性とアルカリ性に保持できるため水槽内でのバクテリアの繁殖を防ぐことができる。
【００１５】
さらに、水槽内の陽極と陰極とへ直流電圧を印加する電気回路の電流値検知手段を設け、電流値検知手段により直流電源の動作を制御する電気分解制御手段を有するものである。
【００１６】
そして、直流電圧の印加により電気分解が進行中は電極間に大きな電流が流れ、水槽内にて水と水素イオンと水酸イオンとが平衡に達すると電極間の電流は少なくなるので、電流値検知により臭気成分を吸収するために必要な酸性水やアルカリ性水が得られているか、また水槽内でのバクテリアの繁殖を防止できるPH値を維持できているか判定できる。
【００１７】
さらに、水槽の水位の高低により電気分解制御手段の条件値を変更するものである。
【００１８】
そして、水槽内の水位の高低により電極間の電流値は異なるので、電流値により直流電源の動作を制御する条件値を水位の高低により変更し、水位が異なっても水槽内のPH値の判定をより確実にすることができる。
【００１９】
さらに、水槽内の陽極と陰極との極性を切り換える直流電源の切り換え手段と、切り換え手段を間欠動作させる第２のタイマー手段を有するものである。
【００２０】
そして、水の電気分解により陽極の近傍で生じる発生期の酸素が強い酸化作用を有しており、バクテリアを殺菌することができ、電極の極性を交互に切り換えることにより、隔膜を隔てた水槽内の二つの水域を殺菌することができ、水槽内のバクテリアの繁殖防止をより確実に行える。
【００２１】
以下本発明の実施例について図面を用いて説明する。
【００２２】
（実施例１）
図１は本発明の実施例１の加湿機能付空気清浄機の正面から見た構成断面図である。また図２は加湿機能付空気清浄機の側面から見た構成断面図である。
【００２３】
図において本体１５の正面には空気吸い込み口１６を有し、空気吸い込み口１６に対峙して空気通路に臨ませた２個の濾過蒸発部１７を有している。本体１５の下部には水槽１８を有し、本体１５の上部にはファン１９とファン１９を回転させるファンモータ２０を有し、空気吹き出し口２１とを設けている。水槽１８内の水中に一対の電極２２を設け、電極２２の一方は直流電源２３のプラス側に接続して陽極２２ａとし、電極２２の他方には直流電源２３のマイナス側を接続して陰極２２ｂとし、電極２２間に水中のイオン性物質は自由に通過する隔膜２４を設け、隔膜２４を隔てて一方の濾過蒸発部１７の下部が陽極２２ａ側の水中に浸漬する位置とし、他方の濾過蒸発部１７が陰極２２ｂ側の水中に浸漬する位置の構成としている。
【００２４】
次に動作、作用について説明する。ファンモータ２０を動作させるとファン１９が回転し、空気吸い込み口１６から室内空気が本体１５内へ導入される。濾過蒸発部１７は下部が水槽１８内に浸漬しているので、毛細管現象で濾過蒸発部１７が水槽１８内の水を吸い上げて濡れ、濾過蒸発部１７が空気吸い込み口１６に対峙して空気通路に臨ませているので湿式フィルターとなり、通過する空気中の塵埃を捕捉し、悪臭成分も水の中に溶解吸収し空気を浄化し、浄化された空気はファン１９により空気吹き出し口２１から室内へ放出される。水槽１８内の水は電気分解され、隔膜２４を挟んで酸性水とアルカリ性水が生成され、一方の濾過蒸発部１７は酸性水を含み、他方の濾過蒸発部１７はアルカリ性水を含むことになり、酸性ガスはアルカリ性水に吸収されやすく、アルカリ性ガスは酸性水に吸収されやすいため、各種の悪臭成分を除去する性能が向上するとともに、濾過蒸発部１７からは水分の一部が蒸発し空気を加湿することができる。
【００２５】
（実施例２）
図３は本発明の実施例２の加湿機能付空気清浄機の電気回路図である。また図４、図５、図６は実施例２の加湿機能付空気清浄機の制御説明図である。
【００２６】
実施例１と異なる点は、室内のガス濃度を検出するガスセンサ２５ａ、粒子濃度を検出する粒子センサ２５ｂ、湿度を検出する湿度センサ２５ｃを備え、各センサの出力に応じてファンモータ２０の出力を制御するために制御部２６と、ファンモータ２０の回転数制御部２７と、ファンモータ２０の駆動部２８を有している。
【００２７】
なお実施例１と同一符号のものは同一構成部であり、説明は省略する。
【００２８】
次に動作、作用について説明すると、室内の臭気成分はガスセンサ２５ａにてガス濃度を検出し、図４のように臭気が高濃度の場合は、制御部２６、回転数制御部２７を介して駆動部２８を動作させファンモータ２０の出力を大きくして、吸い込み空気量を多くして室内の空気浄化を早め、臭気が低濃度の場合にはファンモータ２０の出力を小さくして、水の蒸発損失と消費電力の節約がはかれる。また室内の塵埃は粒子センサ２５ｂにて粒子濃度を検出し、図５のように塵埃が高濃度の場合は、制御部２６、回転数制御部２７を介して駆動部２８を動作させファンモータ２０の出力を大きくして、吸い込み空気量を多くして室内の空気浄化を早め、塵埃が低濃度の場合にはファンモータ２０の出力を小さくして、水の蒸発損失と消費電力の節約がはかれる。さらに室内の空気湿度は湿度センサ２５ｃにて湿度を検出し、図６のように湿度が低い場合には制御部２６、回転数制御部２７を介して駆動部２８を動作させファンモータ２０の出力を大きくして、吸い込み空気量を多くして加湿量を高めて室内乾燥状態を改善でき、湿度が高い場合にはファンモータ２０の出力を小さくして、水の蒸発損失と消費電力の節約がはかれる。
【００２９】
（実施例３）
図７は本発明の実施例３の加湿機能付空気清浄機の電気回路図である。また図８は実施例３の加湿機能付空気清浄機の動作説明図である。
【００３０】
実施例２と異なる点は水槽１８内に水位を検出する水位センサ２９と、水位センサ２９の出力によりファンモータ２０の駆動部２８と直流電源２３との運転を停止させる停止制御手段３０と、水槽１８内水位が低水位の場合に表示する水量不足表示手段３１とを有するものである。
【００３１】
なお実施例１および実施例２と同一符号のものは同一構成部であり、説明は省略する。
【００３２】
次に動作、作用について説明すると、水槽１８内の水位が低下すると、水位センサ２９の信号により、制御部２６を介して停止制御手段３０によりファンモータ２０の駆動部２８と直流電源２３とへの電源が切られ、ファンモータ２０と直流電源２３とが停止となり、また制御部２３を介して水量不足表示手段３１により水量不足を使用者に報知できるので、空運転の防止と水の交換補充の時期が的確に行える。
【００３３】
（実施例４）
図９は本発明の実施例４の加湿機能付空気清浄機の電気回路図である。また図１０は実施例４の加湿機能付空気清浄機の動作説明図である。
【００３４】
実施例２と異なる点は、ファンモータ２０の停止時に水槽１８内の陽極２２ａと陰極２２ｂとへの直流電圧の印加を間欠に行うタイマー手段３２を有するものである。
【００３５】
なお実施例１および実施例２と同一符号のものは同一構成部であり、説明は省略する。
【００３６】
次に動作、作用について説明すると、ファンモータ２０の停止時もタイマー手段３２により直流電源２３はＯＮ、ＯＦＦを間欠的に繰り返すので、水槽１８内の水の電気分解を間欠的に行うことができ、水槽１８内の水は酸性とアルカリ性に保持できるため水槽１８内でのバクテリアの繁殖を防ぐことができる。
【００３７】
（実施例５）
図１１は本発明の実施例５の加湿機能付空気清浄機の電気回路図である。また図１２は実施例５の加湿機能付空気清浄機の動作説明図である。
【００３８】
実施例４と異なる点は、水槽１８内の陽極２２ａと陰極２２ｂとへ直流電圧を印加する電気回路の電流値検知手段３３を設け、電流値検知手段３３により直流電源２３の動作を制御する電気分解制御手段３４を有するものである。
【００３９】
なお実施例１および実施例４と同一符号のものは同一構成部であり、説明は省略する。
【００４０】
次に動作、作用について説明する。直流電源２３から水槽１８内の陽極２２ａと陰極２２ｂとの間に直流電圧を印加すると、水槽１８内の水の電気分解が進行中は電極２２間に大きな電流が流れ、水槽１８内にて水と水素イオンと水酸イオンとが平衡に達すると電極２２間の電流は少なくなるので、電流値検知手段３３の信号により電気分解制御手段３４から、直流電源２３のＯＮ、ＯＦＦを制御する。またファンモータ２０停止時は電気分解制御手段３４内蔵のタイマにより直流電源２３を間欠的に動作させ、電流値検知手段３３により電極２２間の電流値を検出して水槽１８内の水の電気分解度を判定し直流電源２３のＯＮ、ＯＦＦを制御する。したがって臭気成分を吸収するために必要な酸性水やアルカリ性水が得られているか、また水槽１８内でのバクテリアの繁殖を防止できるPHを維持できているか判定できることになる。
【００４１】
（実施例６）
図１３は本発明の実施例６の加湿機能付空気清浄機の電気回路図である。また図１４は実施例６の加湿機能付空気清浄機の動作説明図である。
【００４２】
実施例５と異なる点は、水槽１８の底部付近に水槽１８内の水位の高低を検出する水圧センサ３５を有するものである。
【００４３】
なお実施例１および実施例５と同一符号のものは同一構成部であり、説明は省略する。
【００４４】
次に動作、作用について説明する。直流電源２３から水槽１８内の陽極２２ａと陰極２２ｂとの間に直流電圧を印加し、水槽１８内の水の電気分解に伴う電極２２間に流れる電流値を電流値検知手段３３の信号により電気分解制御手段３４から、直流電源２３のＯＮ、ＯＦＦを制御するが、水槽１８内の水位の高低により、電気分解に伴う水のPHが同じであっても、電極２２間に流れる電流値が異なるため、直流電源２３のＯＮ、ＯＦＦを決定する電流制御値を水位の高低により補正する必要がある。水のPH値が同じであっても、水槽１８内の水位が高い場合には、電極２２間に流れる電流値は水位が低い場合よりも大きくなるので、水圧センサ３５により水槽１８内の水位高さを検出し、水位高さの信号と電流値検知手段３３の信号とを制御部２６に送り、制御部２６にて直流電源２３のＯＮ、ＯＦＦを決定する電流制御値を水位の高低により補正後、電気分解制御手段３４を介して、直流電源２３のＯＮ、ＯＦＦを制御する。したがって臭気成分を吸収するために必要な酸性水やアルカリ性水の確保と、水槽１８内でのバクテリアの繁殖を防止するＰＨの維持がより確実にできることになる。
【００４５】
（実施例７）
図１５は本発明の実施例７の加湿機能付空気清浄機の電気回路図である。また図１６は実施例７の加湿機能付空気清浄機の動作説明図である。
【００４６】
実施例４と異なる点は、水槽１８内の二つの電極２２の極性を切り換える直流電源２３の極性切り換え手段３６と、極性切り換え手段３６を間欠動作させる第２のタイマー手段３７を有するものである。
【００４７】
なお実施例１および実施例４と同一符号のものは同一構成部であり、説明は省略する。
【００４８】
次に動作、作用について説明すると、極性切り換え手段３６により直流電源２３のプラス側とマイナス側を切り換える動作を第二タイマー手段３７により間欠に行うことにより、電極２２の極性を交互に切り換える。これにより水の電気分解により陽極の近傍で生じる発生期の酸素は強い酸化作用を有しており、バクテリアを殺菌することができ、隔膜２４を隔てた水槽１８内の二つの水域のどちらも殺菌することができ、水槽内のバクテリアの繁殖防止をより確実に行える。
【００４９】
【発明の効果】
以上のように本発明によれば空気吸い込み口と、空気通路に臨ませて並設し、前記空気吸い込み口より吸引された空気を濾過し、かつ浸漬により毛細管現象で水を吸い上げ濡れて水分の一部が蒸発する２個の濾過蒸発部と、水槽と、送風機と、空気吹き出し口とからなり、水槽内の水中に一対の電極を設け、電極間に水中のイオン性物質が自由に通過する隔膜を設け、電極の一方は直流電源のプラス側に接続して陽極とし、電極の他方には直流電源のマイナス側を接続して陰極とし、水槽内の隔膜を隔てて一方の濾過蒸発部の下部が陽極側の水中に浸漬する位置とし、他方の濾過蒸発部が陰極側の水中に浸漬する位置としているので、濡れた濾過蒸発部が通過する空気中の塵埃を捕捉し、一方の濾過蒸発部は酸性水を含み、他方の濾過蒸発部はアルカリ性水を含むので、酸性ガスやアルカリ性ガスなどの各種の悪臭成分を除去する性能が向上するとともに、濾過蒸発部からは水分の一部が蒸発し空気を加湿することができる。
【００５０】
また、室内のガス濃度を検出するガスセンサ、粒子濃度を検出する粒子センサ、湿度を検出する湿度センサのうち少なくとも一つを備え、センサの出力に応じて送風機出力を制御する手段を有するので、臭気や塵埃が高濃度の場合と湿度が低い場合には送風機出力を大きくして、通過空気量を多くして室内の空気浄化を早めることと、加湿量を増加して室内乾燥状態の改善ができ、逆に臭気や塵埃が低濃度の場合や湿度が高い場合には送風機出力を小さくして、水の蒸発損失と消費電力の節約がはかれる。
【００５１】
さらに、水槽内に水位を検出する水位センサと、水位センサの出力により送風機と直流電源との運転を停止させる停止制御手段と、水槽内水位が低水位の場合に表示する水量不足表示手段とを有するので、水量が不足すると送風機と直流電源との停止と報知が可能なので、空運転の防止と水の交換補充の時期が的確に行える。
【００５２】
さらに、送風機停止時に水槽内の陽極と陰極とへの直流電圧の印加を間欠に行うタイマー手段を有するので、常に水槽内の水は酸性とアルカリ性に保持できるため水槽内でのバクテリアの繁殖を防ぐことができる。
【００５３】
さらに、水槽内の陽極と陰極とへ直流電圧を印加する電気回路の電流値検知手段を設け、電流値検知手段により直流電源の動作を制御する電気分解制御手段を有するので、電流値検知により臭気成分を吸収するために必要な酸性水やアルカリ性水が得られているか、また水槽内でのバクテリアの繁殖を防止できるPH値を維持できているか判定できる。
【００５４】
さらに、水槽の水位の高低により電気分解制御手段の条件値を変更するので、電流値により直流電源の動作を制御する条件値を水位の高低により変更し、水位が異なっても水槽内のPH値の判定をより確実にすることができる。
【００５５】
さらに、水槽内の陽極と陰極との極性を切り換える直流電源の切り換え手段と、切り換え手段を間欠動作させる第２のタイマー手段を有するので、水の電気分解により陽極の近傍で生じる発生期の酸素の強い酸化作用を利用したバクテリアの殺菌が隔膜を隔てた水槽内の二つの水域を殺菌することができ、水槽内のバクテリアの繁殖防止をより確実に行える。
【図面の簡単な説明】
【図１】  本発明の実施例１の加湿機能付空気清浄機の正面から見た構成断面図
【図２】  同加湿機能付空気清浄機を側面から見た構成断面図
【図３】  本発明の実施例２の加湿機能付空気清浄機の電気回路図
【図４】  同加湿機能付空気清浄機の制御説明図
【図５】  同加湿機能付空気清浄機の制御説明図
【図６】  同加湿機能付空気清浄機の制御説明図
【図７】  本発明の実施例３の加湿機能付空気清浄機の電気回路図
【図８】  同加湿機能付空気清浄機の動作説明図
【図９】  本発明の実施例４の加湿機能付空気清浄機の電気回路図
【図１０】  同加湿機能付空気清浄機の動作説明図
【図１１】  本発明の実施例５の加湿機能付空気清浄機の電気回路図
【図１２】  同加湿機能付空気清浄機の動作説明図
【図１３】  本発明の実施例６の加湿機能付空気清浄機の電気回路図
【図１４】  同加湿機能付空気清浄機の動作説明図
【図１５】  本発明の実施例７の加湿機能付空気清浄機の電気回路図
【図１６】  同加湿機能付空気清浄機の動作説明図
【図１７】  従来の加湿機能付空気清浄機の構成図
【図１８】  従来の加湿機能付空気清浄機の外観図
【符号の説明】
１６  空気吸い込み口
１７  濾過蒸発部
１８  水槽
１９  ファン
２０  ファンモータ
２１  空気吹き出し口
２２  電極
２２ａ  陽極
２２ｂ  陰極
２３  直流電源
２４  隔膜
２５ａ  ガスセンサ
２５ｂ  粒子センサ
２５ｃ  湿度センサ
２６  制御部
２７  回転数制御部
２８  駆動部
２９  水位センサ
３０  停止制御手段
３１  水量不足表示手段
３２  タイマー手段
３３  電流値検知手段
３４  電気分解制御手段
３５  水圧センサ
３６  極性切り換え手段
３７  第２のタイマー手段
【図１】
0003928207.tif 000002
【図２】
0003928207.tif 000003
【図３】
0003928207.tif 000004
【図４】
0003928207.tif 000005
【図５】
0003928207.tif 000006
【図６】
0003928207.tif 000007
【図７】
0003928207.tif 000008
【図８】
0003928207.tif 000009
【図９】
0003928207.tif 000010
【図１０】
0003928207.tif 000011
【図１１】
0003928207.tif 000012
【図１２】
0003928207.tif 000013
【図１３】
0003928207.tif 000014
【図１４】
0003928207.tif 000015
【図１５】
0003928207.tif 000016
【図１６】
0003928207.tif 000017
【図１７】
0003928207.tif 000018
【図１８】
0003928207.tif 000019